【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
無線信号分配システムにおいて、
中空横断面構造と導電性の内面とを有する無線導波管であって、無線信号源から無線信号受信先の端子までの無線信号エネルギーの伝送を支援する前記導波管と、
信号入出力のために前記導波管に接続された発信ポートと、
前記導波管に接続された信号結合デバイスと、
を備え、
該信号結合デバイスは、
縦軸方向が電気的に接地されている外皮と、
前記縦軸方向が電気的に接地されている外皮の中に含まれる中空中心導電部と、
前記縦軸方向が電気的に接地されている外皮の中の第１の縦軸方向部の中に含まれる第１の誘電体であって、前記縦軸方向が電気的に接地されている外皮の前記第１の縦軸方向部に含まれる前記中空中心導電部を囲む前記第１の誘電体と、
前記縦軸方向が電気的に接地されている外皮の中の第２の縦軸方向部の中に含まれる第２の誘電体であって、前記縦軸方向が電気的に接地されている外皮の前記第２の縦軸方向部に含まれる前記中空中心導電部を囲む前記第２の誘電体と、
前記中空中心導電部の内部に部分的に含まれた近端を有する導電性の縦軸プローブと、
を備えた無線信号分配システム。
【請求項２】
請求項１記載の無線信号分配システムであって、
前記中空横断面構造は、所望の周波数レンジにおける電磁エネルギーの進行を支援する形状である前記無線信号分配システム。
【請求項３】
前記導波管は、１つ以上の導波管伝搬モードで作動できる、請求項１記載のシステム。
【請求項４】
前記導波管は金属である、請求項１記載の無線信号分配システム。
【請求項５】
爆発性雰囲気を含む場所またはビルの暖房、換気および空調（ＨＶＡＣ）プレナムスペース内の無線信号分配システムの設置に関連する防火安全基準を満たすのに適した材料で、前記無線信号分配システムが製造される、請求項１記載のシステム。
【請求項６】
請求項１記載の無線信号分配システムであって、前記無線信号分配システムを、ビルの構造的特徴に合わせる前記無線信号分配システム。
【請求項７】
請求項１記載の無線信号分配システムであって、中空形状の原型を加工して使用することによって、前記導波管が形成される前記無線信号分配システム。
【請求項８】
前記中空横断面構造は、略楕円形である請求項１記載の無線信号分配システム。
。
【請求項９】
前記中空面横断構造は、略方形である請求項１記載の無線信号分配システム。
【請求項１０】
前記中空面横断構造は、略円形である請求項１記載の無線信号分配システム。
【請求項１１】
所定の周波数の中から２つ以上の信号を混合して、前記導波管内のひとつ以上の進行モードを使用して前記無線導波管へ送る請求項１記載の無線信号分配システム。
【請求項１２】
前記導電性の縦軸プローブの遠端は、少なくとも部分的には前記導波管にまで延びている請求項１記載の無線信号分配システム。
【請求項１３】
請求項１２記載の無線信号分配システムであって、
前記導電性の縦軸プローブの遠端の給電リアクタンスが、前記導電性の縦軸プローブの近端の位置と、前記中空中心導電部と前記導電性の縦軸プローブとの間の金属スペーサの位置とで、実質的に相殺される前記無線信号分配システム。
【請求項１４】
前記導電性の縦軸プローブの位置を調整して、前記導波管から抽出される無線信号エネルギーの総量を変化させることができる、請求項１２記載の無線信号分配システム。
【請求項１５】
前記導電性の縦軸プローブの位置は、遠隔操作で調整可能である、請求項１２記載の無線信号分配システム。
【請求項１６】
前記導波管内の少なくともひとつの所定のポイントで信号を監視する前記信号結合デバイスに結合された少なくともひとつの無線周波数検出器を更に備えた請求項１５記載の無線信号分配システム。
【請求項１７】
前記信号結合デバイスは少なくともひとつのセンサを内蔵し、該センサは前記信号結合デバイスの機械的な位置データを計測して報告する、請求項１５記載の無線信号分配システム。
【請求項１８】
前記無線導波管は、２つ以上の物理的に分離された部分を有し、これら部分が一緒につながって前記無線導波管を形成する、請求項１記載の無線信号分配システム。
【請求項１９】
前記無線導波管の前記２つ以上の部分は、クラムシェル形状の結合デバイスで締めて、機械的且つ電気的に結合される、請求項１８記載の無線信号分配システム。
【請求項２０】
前記無線導波管の前記２つ以上の部分は、巻き付け型の金属スリーブを用いて、機械的且つ電気的に前後に並べて結合される、請求項１８記載の無線信号分配システム。
【請求項２１】
前記巻き付け型の金属スリーブは、ひとつ以上の締め付けデバイスを用いて固定される、請求項２０記載の無線信号分配システム。
【請求項２２】
形成処理および抜打処理により、最初に板金から無線導波管が製造される、請求項１記載の無線信号分配システム。
【請求項２３】
最後に板金は、圧着または溶接を通して、製造が完了する、請求項２２記載の無線信号分配システム。
【請求項２４】
前記導波管は、主として、プラスチックからなる請求項１記載の無線信号分配システム。
【請求項２５】
ひとつ以上の電気的または磁気的な信号結合デバイスを更に備えた請求項２４記載の無線信号分配システム。
【請求項２６】
前記導波管は、前記導波管の内面上に、薄い金属層を備えた請求項２４記載の無線信号分配システム。
【請求項２７】
前記導電性の縦軸プローブと接続された磁気的ループ・プローブを更に備え、前記磁気ループ・プローブは前記導電性の縦軸プローブと前記縦軸方向が電気的に接地されている外皮の基部との間に接続された請求項１記載の無線信号分配システム。
【請求項２８】
前記導波管の側面に配置された少なくともひとつの予備の開口を更に備えた請求項１記載の無線信号分配システム。
【請求項２９】
前記予備の開口は始めは取り外し可能な材料で覆われており、該取り外し可能な材料で前記開口を覆うことにより、前記導波管の無線周波数安定性を保証し安定させる請求項２８記載の無線信号分配システム。
【請求項３０】
前記予備の開口とは、前記導波管から自由空間までの直接放射器である請求項２８記載の無線信号分配システム。
【請求項３１】
前記開口は、開きの大きさが可変である請求項３０記載の無線信号分配システム。
【請求項３２】
前記導波管に接続される端子の端部アセンブリを更に備えた請求項１記載の無線信号分配システム。
【請求項３３】
前記導波管に信号インターフェース・アセンブリが取り付けられ、該インターフェース・アセンブリは送信機、受信機、トランシーバ、１つまたは複数のフィルタ、合波器、デュプレクサ、１つまたは複数の増幅器である、請求項１記載の無線信号分配システム。
【請求項３４】
導波管に対して無線信号の入出力をするための電気信号結合器において、
前記縦軸方向が電気的に接地されている外皮の中に含まれる中空中心導電部と、
前記縦軸方向が電気的に接地されている外皮の中の第１の縦軸方向部の中に含まれる第１の誘電体であって、前記縦軸方向が電気的に接地されている外皮の前記第１の縦軸方向部に含まれる前記中空中心導電部を囲む前記第１の誘電体と、
前記縦軸方向が電気的に接地されている外皮の中の第２の縦軸方向部の中に含まれる第２の誘電体であって、前記縦軸方向が電気的に接地されている外皮の前記第２の縦軸方向部に含まれる前記中空中心導電部を囲む前記第２の誘電体と、
前記中空中心導電部の内部に含まれた導電性の縦軸プローブと、
前記縦軸方向が電気的に接地されている外皮の端部に配置された双方向無線周波数ポートと、
を備えた前記電気信号結合器。
【請求項３５】
前記双方向無線周波数ポートは、同軸コネクタを含む、請求項３４記載の電気信号結合器。
【請求項３６】
前記中空中心導電部の内部と低インピーダンス接続している前記導電性の縦軸方向のプローブに結合された金属スペーサを更に備えた請求項３４記載の電気信号結合器。
【請求項３７】
前記導電性の縦軸方向が電気的に接地されている外皮の前記第２の縦軸方向部の内に含まれた前記中空中心導体の一部分の外径は、前記導電性の縦軸方向が電気的に接地されている外皮の前記第１の縦軸方向部の内に含まれた前記中空中心導体の一部分の外径よりも長い、請求項３４記載の電気信号結合器。
【請求項３８】
前記導電性の縦軸プローブの一部分は導波管の内部まで延びている請求項３４記載の信号合器。
【請求項３９】
前記導波管の内部まで伸びている前記導電性の縦軸方向のプローブの前記一部分の長さは、調整可能である請求項３８記載の電気信号結合器。
【請求項４０】
前記導波管の内部まで延びている前記導電性の縦軸方向のプローブの一部分の長さは、前記導波管の動作周波数の波長の４分の１である請求項３８記載の電気信号結合器。
【請求項４１】
前記導波管の内部へ延びている導電性の縦軸プローブの一部分に、同軸で結合された金属製シリンダを更に備えた請求項３８記載の電気信号結合器。
【請求項４２】
前記金属製シリンダに附属される誘電取り付け部を更に備えた請求項４１記載の電気信号結合器。
【請求項４３】
導波管に対して無線信号の入出力をするための磁気信号結合器において、
前記縦軸方向が電気的に接地されている外皮の中に含まれる中空中心導電部と、
前記縦軸方向が電気的に接地されている外皮の中の第１の縦軸方向部の中に含まれる第１の誘電体であって、前記縦軸方向が電気的に接地されている外皮の前記第１の縦軸方向部に含まれる前記中空中心導電部を囲む前記第１の誘電体と、
前記縦軸方向が電気的に接地されている外皮の中の第２の縦軸方向部の中に含まれる第２の誘電体であって、前記縦軸方向が電気的に接地されている外皮の前記第２の縦軸方向部に含まれる前記中空中心導電部を囲む前記第２の誘電体と、
前記中空中心導電部の内部に含まれた導電性の縦軸プローブと、
前記導電性の縦軸プローブと前記導電性の縦軸方向が電気的に接地されている外皮との間に接続され、前記導波管へ延びている磁気ループプローブと、
前記縦軸方向が電気的に接地されている外皮の終端に配置され、前記中空中心導電部と接続された双方向無線周波数ポートと、
を備えた前記磁気信号結合器。
【請求項４４】
前記磁気ループプローブの大きさを変化させることによって、前記導波管からの信号エネルギーの変化量が加えられる請求項４３記載の磁気信号結合器。
【請求項４５】
前記磁気信号結合器の軸周りの前記磁気ループプローブを回転させることによって、前記導波管からの信号エネルギーの変化量が加えられる請求項４３記載の磁気信号結合器。
【請求項４６】
無線信号分配システムにおいて、
中空横断面構造と導電性の内面とを有する無線導波管であって、無線信号源から無線信号受信先の端子まで無線信号エネルギーの伝送を支援する前記導波管と、
無線信号を入出力するために前記導波管に接続された発信ポートと、
前記導波管に接続された信号結合デバイスと、
を備え、
前記導波管に接続された信号結合デバイスは、
無線信号エネルギーを入出力する入力ポートと、
無線信号エネルギーを入出力する出力ポートと、
前記入力ポートと前記出力ポートとの間に結合されたインピーダンス変換部と、
前記インピーダンス変換部内に少なくとも部分的に含まれた導電部と、
前記導電部に結合されたプローブと、
を備え、
前記導電部は、前記プローブが前記導波管の内部に少なくとも部分的に含まれているとき、前記プローブの容量性インピーダンス部を実質的に相殺する容量性インピーダンス部を提供するように構成される、
前記無線信号分配システム。
【請求項４７】
前記プローブは、導波管内の電場によって励磁される、請求項４６記載の無線信号分配システム。
【請求項４８】
前記プローブは、縦軸方向の導電部である、請求項４７記載の無線信号分配システム。
【請求項４９】
前記プローブは、前記導波管内の磁場によって励磁される、請求項４６記載の無線信号分配システム。
【請求項５０】
前記プローブは、前記導電部と前記インピーダンス変換部上の接地点との間に接続されたループ状のプローブである、請求項４９記載の無線信号分配システム。
【請求項５１】
前記導波管の軸に対して垂直な軸の周りで前記信号結合デバイスが回転する位置を示す指示器を更に備えた請求項４６記載の無線信号分配システム。